(57)【要約】【課題】連続測定処理を実行する眼科装置において、被検眼の状態等が悪くて正常な測定データが取得でき難い場合には、速やかに連続測定処理を終了することができる技術を提供する。【解決手段】眼科装置は、被検眼の測定を行う測定部と、同一の被検眼に対して測定部によって同一の測定を連続して行う連続測定処理を実行する制御部と、を備えている。制御部は、測定部によって予め定められた第１の設定回数分だけ正常な測定データが取得されたときに連続測定処理を終了し、第１の設定回数分だけ正常な測定データが取得できない場合であっても、予め定められた第２の設定回数分だけ正常でない測定データが取得されたときに連続測定処理を終了する。【選択図】図２
2019166270.tif 000002
【特許請求の範囲】
【請求項１】
被検眼の測定を行う測定部と、
同一の被検眼に対して前記測定部によって同一の測定を連続して行う連続測定処理を実行する制御部と、を備えており、
前記制御部は、
前記測定部によって予め定められた第１の設定回数分だけ正常な測定データが取得されたときに前記連続測定処理を終了し、
前記第１の設定回数分だけ正常な測定データが取得できない場合であっても、予め定められた第２の設定回数分だけ正常でない測定データが取得されたときに前記連続測定処理を終了する、眼科装置。
【請求項２】
前記第１の設定回数と前記第２の設定回数は同一の整数である、請求項１に記載の眼科装置。
【請求項３】
前記測定は、被検眼の眼圧又はレフの測定である、請求項１又は２に記載の眼科装置。
【発明の詳細な説明】
【技術分野】
【０００１】
本明細書に開示する技術は、眼科装置に関する。詳細には、同一の被検眼（すなわち、単眼）に対して同一の測定を連続して行う眼科装置に関する。
【背景技術】
【０００２】
同一の被検眼に対して、同一の測定を連続して行う連続測定処理を実行する眼科装置が開発されている。このような連続測定処理では、通常、取得すべき測定データの個数が予め設定されている。例えば、特許文献１の眼科装置では、設定された取得個数と対応する測定回数に達するまで測定を実行し、正常な測定データが設定された取得個数とならない場合は再測定が行われる。そして、再測定においても正常な測定データが設定された取得個数とならない場合は、予め定められた再測定回数だけ再測定が行われる。
【先行技術文献】
【特許文献】
【０００３】
【特許文献１】特開２０１６−４７２５４号公報
【発明の概要】
【発明が解決しようとする課題】
【０００４】
特許文献１の眼科装置では、正常な測定データが設定された取得個数とならない場合に再測定が行われ、再測定においても正常な測定データが設定された取得個数とならない場合、予め定められた再測定回数だけ再測定が行われる。このため、被検眼の状態等が悪く正常な測定データが取得でき難い場合においても、設定された取得個数と対応する測定回数と予め設定された再測定回数を足した回数だけ測定が実行され、無駄な測定が繰り返し実行されるという問題があった。本明細書は、連続測定処理を実行する眼科装置において、被検眼の状態等が悪く正常な測定データが取得でき難い場合には、速やかに連続測定処理を終了することができる技術を開示する。
【課題を解決するための手段】
【０００５】
本明細書に開示する眼科装置は、被検眼の測定を行う測定部と、同一の被検眼に対して測定部によって同一の測定を連続して行う連続測定処理を実行する制御部と、を備えている。制御部は、測定部によって予め定められた第１の設定回数分だけ正常な測定データが取得されたときに連続測定処理を終了し、第１の設定回数分だけ正常な測定データが取得できない場合であっても、予め定められた第２の設定回数分だけ正常でない測定データが取得されたときに連続測定処理を終了する。
【０００６】
上記の眼科装置では、正常でない測定データが第２の設定回数分だけ取得されたときに連続測定処理を終了する。このため、被検眼の状態等によって正常な測定データが取得でき難い場合は、速やかに連続測定処理が終了される。したがって、無用な測定が繰り返し実行されることを抑制することができる。
【図面の簡単な説明】
【０００７】
【図１】実施例に係る眼科装置の概略構成を示す図。
【図２】被検眼の眼圧を連続して測定する処理の一例を示すフローチャート。
【発明を実施するための形態】
【０００８】
以下に説明する実施例の主要な特徴を列記しておく。なお、以下に記載する技術要素は、それぞれ独立した技術要素であって、単独であるいは各種の組合せによって技術的有用性を発揮するものであり、出願時請求項記載の組合せに限定されるものではない。
【０００９】
（特徴１）本明細書が開示する眼科装置では、第１の設定回数と第２の設定回数は同一の整数であってもよい。このような構成によると、第１の設定回数分だけ正常な測定データが取得されると連続測定処理が終了する。すなわち、被検眼の測定は、少なくとも第１の設定回数だけ実行される。そして、正常な測定データが全く取得できない場合は、第２の設定回数（＝第１の設定回数）分だけ正常でない測定データが取得され、連続測定処理が終了する。このため、被検眼の状態等が悪くて正常な測定が全くできないときは直ちに測定処理が終了し、無駄な測定が繰り返されることを防止することができる。
【００１０】
（特徴２）本明細書が開示する眼科装置では、測定は、被検眼の眼圧又はレフの測定であってもよい。このような構成によると、同一の被検眼に対して測定部は眼圧の測定又はレフの測定を実行する。このため、連続測定処理に適した測定を実行することができる。
【実施例】
【００１１】
以下、実施例に係る眼科装置１０について説明する。図１に示すように、眼科装置１０は、眼圧測定部１２と、アライメント機構１４と、制御部１６と、ディスプレイ１８を備えている。眼圧測定部１２は、被検眼の眼圧を測定する。アライメント機構１４は、被検眼に対して眼圧測定部１２を所定の位置関係にアライメントする。なお、眼圧測定部１２及びアライメント機構１４は、公知の眼科装置に用いられているものを用いることができるため、その詳細な説明は省略する。眼圧測定部１２で測定された被検眼の眼圧測定データは、制御部１６に出力される。なお、眼圧測定部１２は、「測定部」の一例である。
【００１２】
制御部１６は、ＣＰＵ，ＲＯＭ，ＲＡＭ等からなるマイクロコンピュータ（マイクロプロセッサ）によって構成されている。制御部１６には、眼圧測定部１２と、アライメント機構１４と、ディスプレイ１８が接続されており、制御部１６は、眼圧測定部１２と、アライメント機構１４と、ディスプレイ１８を制御している。
【００１３】
制御部１６は、眼圧測定部１２が同一の被検眼（すなわち、被検者の左右いずれかの眼）に対して眼圧測定を連続して実行するように、眼圧測定部１２を制御する。以下では、１回毎の被検眼の眼圧の測定を単に「測定」と称し、測定を複数回連続して繰り返す一連の処理を「連続測定処理」と称することがある。制御部１６には、眼圧測定部１２で測定された被検眼の眼圧測定データが入力される。制御部１６は、入力された眼圧測定データが正常であるか否かを判定すると共に、入力された眼圧測定データの取得数をカウントする。眼圧測定データが正常か否かは、従来と同様に判断することができる。例えば、眼圧測定データが正常か否かは、信頼度に基づいて判断する。信頼度は、例えば、アライメント情報、眼圧測定データの取得波形の形、眼圧測定データが範囲内であるか否か等から総合的に計算する。本実施例では、制御部１６がカウントする眼圧測定データには、正常に測定された眼圧測定データの取得数である正常データカウント値Ｋ（Ｋは整数であり、本実施例では、０≦Ｋ≦３）と、正常に測定されなかった眼圧測定データの取得数である異常データカウント値Ｅ（Ｅは整数であり、本実施例では、０≦Ｅ≦３）がある。制御部１６は、正常データカウント値Ｋと異常データカウント値Ｅをそれぞれメモリ（図示省略）に記憶する。
【００１４】
制御部１６は、予め設定された回数分だけ正常に測定された測定データが取得されると（以下、この予め設定された回数を「正常データ取得の設定回数」ともいう）、眼圧測定部１２による眼圧の連続測定処理を終了する。すなわち、正常データカウント値Ｋの値が正常データ取得の設定回数と同一の値に達すると、制御部１６は、眼圧測定部１２による眼圧の連続測定処理を終了する。正常データ取得の設定回数は、制御部１６のメモリ（図示省略）に記憶されており、例えば、本実施例では３回である。
【００１５】
また、制御部１６は、正常データ取得の設定回数分（本実施例では、３回分）だけ正常に測定された測定データが取得される前に、予め設定された回数分だけ正常に測定されなかった測定データが取得されると（以下、この予め設定された回数を「異常データ取得の設定回数」ともいう）、眼圧測定部１２による眼圧の連続測定処理を終了する。すなわち、異常データカウント値Ｅの値が異常データ取得の設定回数と同一の値に達すると、制御部１６は、眼圧測定部１２による眼圧の連続測定処理を終了する。異常データ取得の設定回数は、制御部１６のメモリ（図示省略）に記憶されており、例えば、本実施例では３回である。したがって、制御部１６は、正常データカウント値Ｋの値が正常データ取得の設定回数と同一の値に達するか、又は、異常データカウント値Ｅの値が異常データ取得の設定回数と同一の値に達した場合に、眼圧測定部１２による眼圧の連続測定処理を終了する。
【００１６】
このように、制御部１６は、正常に測定された眼圧測定データを所定回数分（すなわち、３回分）取得する前に、正常に測定されなかった眼圧測定データを所定回数分（すなわち、３回分）取得すると、被検眼の眼圧の連続測定処理を終了する。換言すると、制御部１６は、正常に測定された眼圧測定データを所定回数分（すなわち、３回分）取得する前に、正常に測定されなかった眼圧測定データが所定の積算値（すなわち、３回分）に達すると、被検眼の眼圧の連続測定処理を終了する。このように、被検眼の眼圧を正常に測定できない頻度が高い場合には、測定時の被検眼の状態が悪かったり、測定時の環境が眼圧測定に適していなかったりする場合が多い。このように正常な測定データを取得でき難い状態で被検眼の連続測定処理を継続しても、無駄に時間を要することになり、被検眼に負担がかかる。本実施例では、正常に測定されなかった眼圧測定データを所定回数分（すなわち、３回分）取得すると、被検眼の眼圧の連続測定処理を終了する。このため、被検眼の状態等により正常な眼圧測定データを取得でき難い場合には、正常に測定された眼圧測定データが所定回数分取得されていなくても、速やかに連続測定処理を終了する。これによって、無用な測定が繰り返されることを抑制することができる。
【００１７】
ディスプレイ１８は、眼科装置１０に関する情報を表示する。例えば、ディスプレイ１８は、眼圧測定部１２で測定された測定結果と、連続測定処理において被検眼の眼圧測定が正常に実行されたか否か（すなわち、正常データ取得の設定回数分だけ正常な眼圧測定データを取得できたか否か）に関する情報を表示する。
【００１８】
次に、実施例に係る眼科装置１０を用いた被検眼の眼圧の連続測定処理について説明する。図２に示すように、検査者が、操作装置（図示省略）を用いて開始ボタン（図示省略）をオンすると、制御部１６は、正常データカウント値Ｋを０に設定すると共に、異常データカウント値Ｅを０に設定する（Ｓ１２）。
【００１９】
次に、制御部１６は、被検眼と眼圧測定部１２のアライメントが完了したか否かを判定する（Ｓ１４）。被検眼に対する眼圧測定部１２のアライメントは、例えば、検査者が図示しない操作部材（例えば、ジョイスティック等）を操作してアライメント機構１４を駆動することによって行われる。ただし、被検眼に対する眼圧測定部１２のアライメントは、制御部１６によって自動的に行われてもよい。アライメントが完了していない場合（ステップＳ１４でＮＯの場合）、制御部１６は、アライメントが完了するまで待機する。アライメントが完了した場合（ステップＳ１４でＮＯの場合）、制御部１６は、眼圧測定部１２に被検眼の眼圧を測定させる（Ｓ１６）。
【００２０】
眼圧測定部１２による被検眼の眼圧の測定が終了すると、制御部１６は、眼圧測定部１２から眼圧測定データを取得する（Ｓ１８）。そして、制御部１６は、ステップＳ１８で取得した眼圧測定データが正常に測定されたものであるか否かを判定する（Ｓ２０）。上述したように、測定された眼圧測定データが正常か否かは、従来と同様に判定される。
【００２１】
制御部１６が取得した眼圧測定データが正常に測定されたものである場合（ステップＳ２０でＹＥＳの場合）、制御部１６は、正常データカウント値Ｋをインクリメントする（Ｓ２２）。例えば、制御部１６がステップＳ１８で取得した眼圧測定データが、連続測定処理のうちの最初の眼圧測定による眼圧測定データであった場合（すなわち、正常データカウント値Ｋが０の場合）、制御部１６は、正常データカウント値ＫをＫ＝０からＫ＝１とする。
【００２２】
一方、制御部１６が取得した眼圧測定データが正常に測定されたものでない場合（ステップＳ２０でＮＯの場合）、制御部１６は、異常データカウント値Ｅをインクリメントする（Ｓ２４）。例えば、制御部１６がステップＳ１８で取得した眼圧測定データが、連続測定処理のうちの最初の眼圧測定による眼圧測定データであった場合（すなわち、異常データカウント値Ｅが０の場合）、制御部１６は、異常データカウント値ＥをＥ＝０からＥ＝１とする。
【００２３】
次に、制御部１６は、正常データカウント値Ｋが３であるか否かを判定する（Ｓ２６）。上述したように、本実施例では、正常データ取得の設定回数は３回と設定されている。すなわち、正常に測定された眼圧測定データを３回分取得すると、被検眼の眼圧の連続測定処理を終了する。正常データカウント値Ｋが３である場合（ステップＳ２６でＹＥＳの場合）、制御部１６は、取得した眼圧測定データと、連続測定処理において被検眼の眼圧測定が正常に実行された旨をディスプレイ１８に表示する（Ｓ２８）。その後、被検眼の眼圧の連続測定処理を終了する。なお、ステップＳ２８でディスプレイ１８に表示される眼圧測定データは、正常な眼圧測定データのみを表示してもよいし、取得された全ての眼圧測定データを表示してもよい。取得された全ての眼圧測定データを表示する場合、正常な眼圧測定データと、正常ではない眼圧測定データとを区別可能に表示することが好ましい。
【００２４】
一方、正常データカウント値Ｋが３でない場合（ステップＳ２６でＮＯの場合）、制御部１６は、異常データカウント値Ｅが３であるか否かを判定する（Ｓ３０）。上述したように、本実施例では、異常データ取得の設定回数は３回と設定されている。すなわち、正常に測定された眼圧測定データを３回分取得する前に、正常に測定されなかった眼圧測定データを３回分取得すると、被検眼の眼圧の連続測定処理を終了する。異常データカウント値Ｅが３でない場合（ステップＳ３０でＮＯの場合）、制御部１６は、正常に測定されなかった眼圧測定データも３回分取得されていないと判断する。そして、ステップＳ１６に戻り、ステップＳ１６〜ステップＳ３０の処理を繰り返す。
【００２５】
一方、異常データカウント値Ｅが３である場合（ステップＳ３０でＹＥＳの場合）、制御部１６は、取得した眼圧測定データと、連続測定処理において被検眼の眼圧測定が正常に実行されなかった旨をディスプレイ１８に表示する（Ｓ３２）。その後、眼圧測定処理を終了する。
【００２６】
なお、本実施例では、正常データカウント値Ｋが３となった場合、又は、正常データカウント値Ｋが３となる前に異常データカウント値Ｅが３となった場合に測定を終了していたが、このような構成に限定されない。すなわち、正常データ取得の設定回数は３回に限定されないし、異常データ取得の設定回数も３回に限定されない。例えば、正常データ取得の設定回数及び異常データ取得の設定回数はいずれも３回より少なくてもよい（すなわち、２回であってもよい）し、３回より多くてもよい。また、正常データ取得の設定回数は、異常データ取得の設定回数より多くてもよいし、正常データ取得の設定回数は、異常データ取得の設定回数より少なくてもよい。例えば、正常データ取得の設定回数ｎが比較的に小さな値の場合（例えば、ｎ＝２回）、異常データ取得の設定回数ｍをｎより大きくし（例えば、ｍ＝３＞ｎ）、正常データがｎ個取得される可能性を高めてもよい。あるいは、正常データ取得の設定回数ｎが比較的に大きな値の場合（例えば、ｎ＝５回）、異常データ取得の設定回数ｍをｎより小さくし（例えば、ｍ＝３＜ｎ）、無駄な測定が繰り返されることを回避してもよい。
【００２７】
また、正常データ取得の設定回数と異常データ取得の設定回数は、ユーザによって任意に設定可能となっていてもよい。例えば、測定データが安定している場合には、正常データ取得の設定回数を小さな値とし、それに応じて異常データ取得の設定回数を変更してもよい。あるいは、測定データのバラツキが大きく不安定な場合には、正常データ取得の設定回数を大きな値とし、それに応じて異常データ取得の設定回数を変更してもよい。
【００２８】
また、本実施例の眼科装置１０は、眼圧測定部１２を備えていたが、このような構成に限定されない。眼科装置は、同一の被検眼に対して同一の測定を連続して行うように構成されていればよく、例えば、眼科装置は、レフの測定が可能なレフ測定部を備えていてもよい。
【００２９】
以上、本明細書に開示の技術の具体例を詳細に説明したが、これらは例示に過ぎず、特許請求の範囲を限定するものではない。特許請求の範囲に記載の技術には、以上に例示した具体例を様々に変形、変更したものが含まれる。また、本明細書または図面に説明した技術要素は、単独であるいは各種の組合せによって技術的有用性を発揮するものであり、出願時請求項記載の組合せに限定されるものではない。
【符号の説明】
【００３０】
１０：眼科装置
１２：眼圧測定部
１４：アライメント機構
１６：制御部
１８：ディスプレイ
【図１】
2019166270.tif 000003
【図２】
2019166270.tif 000004